【事件の表示】
　特許第２８９７９００号「連続焼鈍炉内の鋼板搬送停止方法」の請求項１に係る特許に対する特許異議の申立てについて、次のとおり決定する。
【結　論】
　特許第２８９７９００号の請求項１に係る特許を維持する。
【理　由】
 １．本件発明
　本件特許第２８９７９００号（平成３年９月１８日出願、平成１１年３月１２日設定登録）の請求項１に係る発明は、特許明細書及び図面の記載からみて、特許請求の範囲の請求項１に記載された次のとおりのものと認める。
「【請求項１】高温の炉内で鋼板を搬送ロールに巻き付けて通板処理する連続焼鈍炉内で鋼板搬送を停止するとき、搬送速度の低下と共に炉内の設定張力値を徐々に下げ、且つその設定張力値の適正変更レートを選択することを特徴とする連続焼鈍炉内の鋼板搬送停止方法。」
（以下、特許請求の範囲の請求項１に記載された発明を「本件発明」という。）
２．申立ての理由の概要
　特許異議申立人川崎製鉄株式会社は、証拠として甲第１号証（特開昭６２−７７４２４号公報）、甲第２号証（特開昭４９−８３６０９号公報）、甲第３号証（特開平２−１２５８１９公報）を提出し、本件発明は、甲第１〜３号証に記載された発明に基づいて当業者が容易に発明をすることができたものであるから、本件発明に係る特許は、特許法第２９条第２項の規定に違反してされたものであり、また、請求項１に記載された発明に係る特許が特許法第３６条第４項に規定する要件を満たしていない特許出願に対してされているので、請求項１に記載された発明に係る特許は取り消すべき旨主張している。
３．引用刊行物記載の発明
　当審が通知した取消理由に引用された刊行物１（特開昭６２−７７４２４号公報、甲第１号証と同じ）には、
「炉入側ブライドルロールを炉出側ブライドルロールに対し時間を遅らせて停止することを特徴とする連続式ストリップ焼鈍炉のライン停止方法」（特許請求の範囲）、
「本発明は、連続焼鈍ラインや連続めっきライン等の連続ライン中に設けられている連続式ストリップ焼鈍炉をライン停止する方法に関する。」（第１頁左下欄第１１〜１３行）、
「冷延鋼板の場合、第２図に示す如き連続式ストリップ焼鈍炉（１０）即ち所定の炉内雰囲気及び炉内温度に保持された炉体（１１）内の炉内ロール（１２）・・・（１２）にてストリップ（Ｓ）を搬送するようになっている連続式ストリップ焼鈍炉により、鋼板は所定の機械試験値を得るべく焼鈍される。」（第１頁右下欄第２〜８行）、
「その連続式ストリップ焼鈍炉は、第２図に示したように、炉内の上部と下部とに配設されたロール（１２）・・・（１２）に鋼板を懸け渡して上下方向にジグザク移行させる竪型炉・・・」（第１頁右下欄第１４〜１８行）、
「その目的とするところは、ストリップの炉内破断事故が生じることのない連続式ストリップ焼鈍炉のライン停止方法を提供するにある。」（第２頁左下欄第１８行〜第２０行）、
「その結果、炉内のストリップにかかる張力を漸次緩和させ、最終的に炉内のストリップを無張力状態となすことができ、該ストリップの炉内破断事故発生を回避することができる。」（第２頁右下欄第１４〜１８行）、
「本発明方法によって連続式ストリップ焼鈍炉のライン停止を行う場合は、ストリップの炉内破断事故の発生を回避することができ、連続式ストリップ焼鈍炉を含む連続ラインの生産効率の低下を防止することができる。」（第３頁右下欄第２〜６行）と記載され、
　刊行物２（特開昭４９−８３６０９号公報、甲第２号証と同じ）には、
「直火加熱式連続焼鈍設備において、ラインの停止またはスピードダウンを行わねばならない緊急時に、該焼鈍設備に送られる被焼鈍材料の張力を張力調整装置によって無にするかまたは減少せしめて該焼鈍設備内において被焼鈍材料が破断することを防止することを特徴とする直火加熱式連続焼鈍設備における被焼鈍材料の破断防止方法。」（特許請求の範囲第１項）、
「ラインの停止またはスピードダウン時に、自動または手動によって作動する張力調整装置により被焼鈍材料の張力を調整することによって炉内での被焼鈍材料の破断を防止し得ることを究明して本発明方法を完成した。」（第２頁左上欄第１３〜１７行）、
「他のラインにおいて事故が発生したような緊急時には、事故発生信号としてライン停止またはラインスピードダウンの信号Ａまたは手動による信号Ｂが張力自動調整器１９に伝達されると、張力自動調整器１９は高圧エヤ源１４からエヤシリンダー１０に至るバイパスの電磁弁２０を直ちに開放して高圧エヤをエヤシリンダー１０に送り込んでロープまたはチェイン８を介してダンサーロール４を上昇せしめて被焼鈍材料１に付与される張力を減少または無にする。」（第３頁左上欄第１５行〜右上欄第４行）と記載され、
　刊行物３（特開平２一１２５８１９号公報、甲第３号証と同じ）には、
「連続熱処理ラインの炉内張力制御方法において、前記ライン停止時に、前記炉内張力を予め定めた範囲内に保持することを特徴とする連続熱処理ラインの炉内張力制御方法。」（特許請求の範囲）、
「ライン停止時には、張力基準値ＴＲＴ１を操業中の張力値より低い或る範囲（バンド幅）に設定すれば、ストリップの炉内張力がバンド幅の上限値、下限値を外れた場合には前記炉内ストリップの張力制御によってバンド内に復帰する。」（第２頁右上欄第１８行〜左下欄第３行）、
「本発明によればストリップの連続熱処理炉において、ライン停止中のストリップの炉内張力を操業中の張力値より低い或る範囲に収めることによって、ストリップの破断を防止し、再始動が直ちに可能になる効果がある。」（第２頁左下欄第８〜１２行）と記載されている。
４．対比・判断
（特許法第２９条第２項について）
　本件発明と刊行物１に記載の発明を対比すると、刊行物１に記載の連続式ストリップ焼鈍炉は、炉内の上部と下部とに配設されたロールに鋼板を懸け渡して上下方向にジグザク移行させ、搬送するものであり、刊行物１に記載の「炉内の上部と下部とに配設されたロール」は本件発明の「搬送ロール」に相当するから、両者は、高温の炉内で鋼板を搬送ロールに巻き付けて通板処理する連続焼鈍炉内で鋼板搬送を停止する連続焼鈍炉内の鋼板搬送停止方法である点で一致し、本件発明は、搬送速度の低下と共に炉内の設定張力値を徐々に下げ、且つその設定張力値の適正変更レートを選択するのに対し、刊行物１に記載のものは、炉入側ブライドルロールを炉出側ブライドルロールに対し時間を遅らせて停止させることにより、炉内の鋼板にかかる張力を漸次緩和させる点で相違する。
　相違点について検討する。
刊行物２には、ラインの停止またはスピードダウンを行わねばならない緊急時に、該焼鈍設備に送られる被焼鈍材料の張力を張力調整装置によって無にするかまたは減少せしめて該焼鈍設備内において被焼鈍材料が破断することを防止することが記載されているが、刊行物２に記載のものは、ライン停止又はラインスピードダウンの信号が張力自動調整器に伝達されると、張力自動調整器は高圧エヤ源からエヤシリンダーに至るバイパスの電磁弁を直ちに開放して高圧エヤをエヤシリンダーに送り込んでロープを介してダンサーロールを上昇せしめて被焼鈍材料に付与される張力を減少または無にするというものであり、また、刊行物３に記載のものは、連続熱処理ラインのライン停止時に、前記炉内張力を予め定めた範囲内に保持するというにすぎず、本件発明のように、連続焼鈍炉内で鋼板搬送を停止するとき、搬送速度の低下と共に炉内の設定張力値を徐々に下げ、且つその設定張力値の適正変更レートを選択するというものでない。
　以上のことから、連続焼鈍炉内の鋼板搬送停止にあたり刊行物１〜３に記載のものを寄せ集めることにより当業者が本件発明を容易に構築できるものとすることができない。
　そして、本件発明は、請求項１に記載の事項を構成要件とすることにより、「本発明により、鋼板搬送を停止するとき、鋼板の張り過ぎ、緩み過ぎを防止することができ、板破断やヒートバックルの発生を解消することができ、生産性を高めることができる。」（明細書段落００１４）という特許明細書に記載のとおりの顕著な作用効果を奏するものと認められる。
　したがって、本件発明は、甲第１〜３号証に記載された発明に基づいて当業者が容易に発明をすることができたものとすることはできない。
（特許法第３６条第４項について）
　特許異議申立人は、適正変更レートを選択することが何を意味するのか明確でないから、発明の詳細な説明には、当業者が容易にその実施をすることができる程度にその発明の構成が記載されていないと主張するが、明細書には、「設定張力の変更レート・・・を設備毎に最適に調整することにより、鋼板の張り過ぎ、緩み過ぎのない適切な状態で停止することができる。」（明細書段落００１３）と記載されており、この明細書の記載及び平成１３年２月２８日付け特許異議意見書の記載からすると、適正変更レートを選択することは、設定張力値の適正変更レートを設備毎に実操業データから予め導き出しておき、設備毎に最適に調整することを意味するものであり、これにより、鋼板の張り過ぎ、緩み過ぎのない適切な状態で停止することができることが明らかであるから、特許明細書の発明の詳細な説明には、当業者が容易にその実施をすることができる程度にその発明の構成が記載されていないとすることができない。
５．むすび
　以上のとおりであるから、特許異議申立ての理由及び証拠によっては、本件発明に係る特許を取り消すことはできない。
　また、他に本件発明に係る特許を取り消すべき理由を発見しない。
　よって、結論のとおり決定する。
【異議決定日】
平成１３年３月１４日（２００１．３．１４）